(57)【特許請求の範囲】
【請求項１】
コイルを電動機の固定子鉄心のスロット内に挿入するとともにその周囲に絶縁紙を巻き、さらに該スロット内にくさびを挿入することで前記コイルを固定する固定子鉄心用スロットへのくさび固定構造において、
前記絶縁紙の前記スロットから突出している上下両端の部分を折り返して折り返し部を形成し、且つ前記くさびの長さをこれら絶縁紙の上下両端の折り返し部の辺に突き当たる長さ以下とし、前記絶縁紙の上下両端の折り返し部の間に前記くさびの上下両端面を位置して位置決め固定することで、くさびの振動による上下方向への脱落を防止することを特徴とする固定子鉄心用スロットへのくさび固定構造。
【請求項２】
前記電動機は、耐水性の被覆を施した耐水絶縁電線からなるコイルを用いた水封式の電動機であることを特徴とする請求項１記載の固定子鉄心用スロットへのくさび固定構造。
【発明の詳細な説明】
【０００１】
【発明の属する技術分野】
本発明は、電動機の固定子鉄心用スロットへのくさび固定構造に関するものである。
【０００２】
【従来の技術】
従来、ワニス処理を行なう電動機では、その固定子鉄心のスロットに挿入されるコイル及びくさびがワニスで固定されるため、振動によるコイル及びくさびのずれは生じない。
【０００３】
しかしコイルとして耐水性の被覆を施した耐水絶縁電線を用いた水封式の電動機は、ワニス処理を行なわないため、くさびの圧迫でコイルを固定する。即ち例えば図５に示すように、電動機の固定子鉄心４のスロット４１内に挿入された耐水絶縁電線からなるコイル３の周囲に絶縁紙１ａ，１ｂ，１ｃを巻いた状態でスロット４１内にくさび２を挿入する。その際くさび２が振動でずれないように、固定子鉄心４よりもくさび２の長さを長くして固定子鉄心４の端面でくさび２を半田コテで溶かして突起３０を作ることで固定する。
【０００４】
また他の方法として図６に示すように、くさび２の両端（図では上端のみ示す）に切り込み３５を入れ、刃物を打ち込むことで該切り込み３５を広げてスロット４１の幅よりくさび２の幅を広げて固定する方法もあった。
【０００５】
【発明が解決しようとする課題】
しかしながら前記コイル３に使用する耐水絶縁電線の被覆は熱に弱いのでコイル３近傍にくさび２固定の為に熱源を近付けることは好ましくなく、また刃物などを近付けることは該刃物などによってコイル３の被覆に傷を付ける恐れがあるので好ましくない。特に水封式の電動機の場合は、耐水絶縁電線の被覆の劣化や傷がその寿命に大きく影響するので、前記固定作業は慎重に行なわなければならず、電動機の生産性に大きく影響していた。
【０００６】
さらにくさび２の固定が十分でないと、振動でくさび２がずれることにより事故が発生する恐れがあった。
【０００７】
本発明は上述の点に鑑みてなされたものでありその目的は、熱源や刃物などを用いなくても、容易且つ確実にくさびを固定することが出来る固定子鉄心用スロットへのくさび固定構造を提供することにある。
【０００８】
【課題を解決するための手段】
上記問題点を解決するため本発明は、コイルを電動機の固定子鉄心のスロット内に挿入するとともにその周囲に絶縁紙を巻き、さらに該スロット内にくさびを挿入することで前記コイルを固定する固定子鉄心用スロットへのくさび固定構造において、前記絶縁紙の前記スロットから突出している上下両端の部分を折り返して折り返し部を形成し、且つ前記くさびの長さをこれら絶縁紙の上下両端の折り返し部の辺に突き当たる長さ以下とし、前記絶縁紙の上下両端の折り返し部の間に前記くさびの上下両端面を位置して位置決め固定することで、くさびの振動による上下方向への脱落を防止することを特徴とする。
前記電動機は、耐水性の被覆を施した耐水絶縁電線からなるコイルを用いた水封式の電動機であることを特徴とする。
【０００９】
【発明の実施の形態】
以下、本発明の実施形態を図面に基づいて詳細に説明する。
図４は本発明を適用する液封式電動機の一例を示す全体概略断面図である。同図に示すようにこの液封式電動機は、筒状のフレーム７内に固定子鉄心４を取り付け、固定子鉄心４の中央に回転子５を固定した主軸６を回転自在に挿入して構成されている。そしてこの種の電動機の内部には水若しくは油などの封入液１３を封入し、さらに内外圧を調圧し且つモータ運転時の封入液１３の熱膨張を吸収する目的でフレーム７の反負荷側にダイヤフラム１４などからなる調圧機構を設けている。
【００１０】
なお前記固定子鉄心４にはコイル３が取り付けられている。また８ａ，８ｂはそれぞれ負荷側と反負荷側のフレーム側板、９ａ，９ｂはそれぞれ負荷側と反負荷側のブラケット、１０ａ，１０ｂはそれぞれラジアル軸受、１１はスラスト軸受、１２は軸受ケース、１５は軸封装置、１６ａ，１６ｂはそれぞれボルトである。
【００１１】
〔第一実施形態〕
次に図１は本願の第一実施形態にかかるくさび固定構造の要部概略斜視図であり、図４に示すＡ部分を拡大して示している。
【００１２】
即ちこのくさび固定構造は、３枚の絶縁紙１ａ，１ｂ，１ｃを挿入した固定子鉄心４のスロット４１内に耐水絶縁電線からなるコイル３を挿入し、次に該スロット４１内にくさび２を挿入して構成される。
【００１３】
ここで絶縁紙１ｂはコイル３の外周にこれを囲むように巻き回されてコイル３挿入時及びくさび２挿入時にコイル３が傷付くのを保護する目的の絶縁紙であり、絶縁紙１ｃは絶縁紙１ａの上にコの字状に取り付けられて固定子鉄心４の端面とコイル３の圧迫によって絶縁紙１ａ，１ｂが破れて固定子鉄心４の端面のエッジでコイル３に傷が付くことを防止する目的の補強用の絶縁紙である。
【００１４】
一方絶縁紙１ａは、絶縁紙１ｂの上にほぼ一巻き巻き付けた絶縁紙であり、その上端部を外側に向けて折り返すことによって折り返し部５０を形成している。この折り返し部５０は図示はしないが固定子鉄心４の下端側から突出する絶縁紙１ａの下端部においても同様に設けられている。つまり絶縁紙１ａの長さは、上下の折り返し部５０が固定子鉄心４の上下端よりも外側になる寸法としている。
【００１５】
その組み立ては、絶縁紙１ａの上下両端を予め折り返して折り返し部５０を設けたものと絶縁紙１ｂ，１ｃとをスロット４１に挿入した後、スロット４１にコイル３を挿入し、次に絶縁紙１ａの片側部分（図の向かって左側の部分）ｅをコイル３に押し付けるように折り曲げた状態でくさび２をスロット４１内に挿入する。
【００１６】
絶縁紙１ａの片側部分ｅは、コイル３方向への折り曲げの反発力によってくさび２側に起き上がろうとし、その折り返し部５０の辺５１はくさび２の端面上に位置する。
【００１７】
この状態は固定子鉄心４の下端においても同様であり、またくさび２の長さは絶縁紙１ａの上下両端の折り返し部５０の辺５１に突き当たる長さ以下としており、従ってくさび２の上下両端面は絶縁紙１ａの上下の折り返し部５０によってこの位置においてその動きが制限されてスロット４１内に位置決め固定される。
【００１８】
なおこの実施形態では絶縁紙１ａの片側部分ｅのみをコイル３に押し付けるように折り曲げたが、その左右両側部分ｅ，ｆをコイル３に押し付けるように折り曲げて、該両側部分ｅ，ｆの折り返し部５０の辺５１をくさび２の端面に当接させるように構成しても良い。
【００１９】
〔第二実施形態〕
図２は本願の第二実施形態にかかるくさび固定構造の要部概略斜視図である。なお第一実施形態と同一部分には同一符号を付してその詳細な説明は省略する。
【００２０】
このくさび固定構造において第一実施形態と相違する点は、くさび２の長さを絶縁紙１ａの上下両端の折り返し部５０の辺５１間の距離よりも多少長い寸法に構成し、これによってくさび２の上下端を上下の折り返し部５０の内部に収め、これによってくさび２の動きを制限してスロット４１内に位置決め固定するように構成した点である。なお、第一実施形態との併用も可能である。
【００２１】
〔第三実施形態〕
図３は本願の第三実施形態にかかるくさび固定構造の要部概略斜視図である。なお第一実施形態と同一部分には同一符号を付してその詳細な説明は省略する。
【００２２】
このくさび固定構造において第一実施形態と相違する点は、絶縁紙１ａの折り返し部５０を内側を向けて折り返し、挿入したくさび２の上下両端面において起き上がった折り返し部５０の左右両側の辺５１によってくさび２の動きを制限してスロット４１内に位置決め固定するように構成した点である。なおくさび２の長さは絶縁紙１ａの上下両端の辺５１に突き当たる長さ以下としている点は第一実施形態と同様である。
【００２３】
以上本発明の実施形態を詳細に説明したが本発明はこれら実施形態に限定されるものではなく、例えば以下のような種々の変形が可能である。
▲１▼折り返し部を有する絶縁紙以外の絶縁紙は、絶縁紙の補強やコイルの保護などの目的に応じ、その枚数や巻付構造に種々の変更が可能である。
【００２４】
▲２▼本発明はこれを耐水絶縁電線からなるコイルを用いた水封式の電動機に使用した場合、該耐水絶縁電線の被覆をくさび固定時に熱や刃物によって劣化、損傷させる恐れがなく、従って特にその効果が顕著であるが、耐水絶縁電線を用いていないコイルを用いた電動機（水封式でなくても良い）に適用してもよい。この場合も、前記熱や刃物によるコイルの劣化、損傷を防止できる。
【００２５】
【発明の効果】
以上詳細に説明したように本発明によれば、熱源や刃物などを用いなくても、容易且つ確実にくさびを固定することが出来る。従ってコイルを傷付けることもなく、容易に作業が行なえるため、生産性が良く、電動機の寿命を損ねることもなく、またくさびの脱落による事故の防止にもなるため、経済的にも効果が大きい。
【００２６】
特に水封式の電動機の場合は、耐水絶縁電線の被覆の劣化や傷がその寿命に大きく影響するので、上記効果は顕著である。
【図面の簡単な説明】
【図１】第一実施形態にかかるくさび固定構造の要部概略斜視図である。
【図２】第二実施形態にかかるくさび固定構造の要部概略斜視図である。
【図３】第三実施形態にかかるくさび固定構造の要部概略斜視図である。
【図４】本発明を適用する液封式電動機の一例を示す全体概略断面図である。
【図５】従来のくさび固定構造の一例を示す要部概略斜視図である。
【図６】従来のくさび固定構造の一例を示す要部概略斜視図である。
【符号の説明】
１ａ，１ｂ，１ｃ  絶縁紙
２  くさび
３  コイル
４  固定子鉄心
４１  スロット
５０  折り返し部
【図１】
0003572206.tif 000002
【図２】
0003572206.tif 000003
【図３】
0003572206.tif 000004
【図４】
0003572206.tif 000005
【図５】
0003572206.tif 000006
【図６】
0003572206.tif 000007